(57)【要約】【課題】栽培設備において、植物の状況に応じて、二酸化炭素の供給を適切に停止させること。【解決手段】二酸化炭素供給装置（２３）で二酸化炭素を供給中に、蒸散検出手段（５１）が植物の蒸散が活発でない状態を検出し、且つ、排液量センサ（２６ａ）が検出する排液量が設定量に達しない場合に、二酸化炭素の供給を停止することで、栽培設備において、植物の状況（植物が弱っている状況）に応じて、二酸化炭素の供給を適切に停止させることができる。【選択図】図２
2019041637.tif 000002
【特許請求の範囲】
【請求項１】
栽培室（１）内で養液の供給と排液とを行い、植物を栽培するための栽培装置（２）と、
二酸化炭素を供給する二酸化炭素供給装置（２３）と、
植物の蒸散の状態を検出する蒸散検出手段（５１）と、
前記栽培装置（２）の排液量を検出する排液量センサ（２６ａ）と、
を備え、
前記二酸化炭素供給装置（２３）で二酸化炭素を供給中に、前記蒸散検出手段（５１）が植物の蒸散が活発でない状態を検出し、且つ、前記排液量センサ（２６ａ）が検出する排液量が設定量に達しない場合に、二酸化炭素の供給を停止する
ことを特徴とする栽培設備。
【請求項２】
栽培室（１）内で養液の供給と排液とを行い、植物を栽培するための栽培装置（２）と、
二酸化炭素を供給する二酸化炭素供給装置（２３）と、
植物の蒸散の状態を検出する蒸散検出手段（５１）と、
前記栽培装置（２）内の養液量を検出する養液量検出センサ（２４ｈ）と、
を備え、
前記二酸化炭素供給装置（２３）で二酸化炭素を供給中に、前記蒸散検出手段（５１）が植物の蒸散が活発でない状態を検出し、且つ、前記養液量検出センサ（２４ｈ）が検出する養液量が設定量に達する場合に、二酸化炭素の供給を停止する
ことを特徴とする栽培設備。
【請求項３】
前記栽培室（１）内で湿度を検出する湿度センサ（ＳＮ２）と、
前記湿度センサ（ＳＮ２）が検出する湿度の上昇が予め設定された設定値に達しない場合に、植物の蒸散が活発でない状態と検出する前記蒸散検出手段（５１）と、
を備えたことを特徴とする請求項１または２に記載の栽培設備。
【請求項４】
植物を観察する観察部材（１２）と、
前記観察部材（１２）の観察結果に基づいて、植物が萎れている場合は、植物の蒸散が活発でない状態と検出する前記蒸散検出手段（５１）と、
を備えたことを特徴とする請求項１ないし３のいずれかに記載の栽培設備。
【請求項５】
前記蒸散検出手段（５１）が植物の蒸散が活発である状態を検出した場合に、二酸化炭素の供給を継続する
ことを特徴とする請求項１ないし４のいずれかに記載の栽培設備。
【請求項６】
栽培室（１）内で養液の供給と排液とを行い、植物を栽培するための栽培装置（２）と、
二酸化炭素を供給する二酸化炭素供給装置（２３）と、
日射量を計測する日射計（１６）と、
を備え、
前記日射計（１６）の計測結果に基づいて、曇の日が続いた後の晴天日である場合に、二酸化炭素の供給を停止する
ことを特徴とする栽培設備。
【請求項７】
栽培室（１）内で養液の供給と排液とを行い、植物を栽培するための栽培装置（２）と、
二酸化炭素を供給する二酸化炭素供給装置（２３）と、
植物の葉温を検出する葉温検出手段（１３）と、
を備え、
前記二酸化炭素供給装置（２３）で二酸化炭素を供給中に、前記葉温検出手段（１３）が検出する葉温が設定値に達する場合に、二酸化炭素の供給を停止する
ことを特徴とする栽培設備。
【発明の詳細な説明】
【技術分野】
【０００１】
本発明は、植物の栽培を行う栽培設備に関する。
【背景技術】
【０００２】
植物を栽培する栽培設備において、運転時間や外気温度による条件で光合成に必要な二酸化炭素を供給する技術が知られている（特許文献１）。
また、栽培設備において、カメラで撮像した葉の気孔の開き具合に応じて二酸化炭素の供給を行う技術も知られている（特許文献２）。
さらに、二酸化炭素の濃度測定部による設定濃度を保つように二酸化炭素を供給する技術も知られている（特許文献３）。
【先行技術文献】
【特許文献】
【０００３】
【特許文献１】特開２０１４−９３９８５号公報
【特許文献２】特開２０１５−８４７３２号公報（「００２３」）
【特許文献３】特開２０１６−１５４４４８号公報
【発明の概要】
【発明が解決しようとする課題】
【０００４】
特許文献１，３に記載の構成では、植物の生育状況にかかわらず二酸化炭素が供給されている。したがって、植物の光合成が活発でない状況では、二酸化炭素が無駄に供給されることがある。
特許文献２に記載の構成では、植物の気孔の位置は、植物の成長（茎や葉の伸び）とともに変動するため、気孔を観測し続けることは現実的には非常に困難または非常に高価なシステムが必要である。
【０００５】
本発明の課題は、栽培設備において、植物の状況に応じて、二酸化炭素の供給を適切に停止させることである。
【課題を解決するための手段】
【０００６】
本発明の上記課題は、次の解決手段により解決される。
すなわち、請求項１に記載の発明は、栽培室（１）内で養液の供給と排液とを行い、植物を栽培するための栽培装置（２）と、二酸化炭素を供給する二酸化炭素供給装置（２３）と、植物の蒸散の状態を検出する蒸散検出手段（５１）と、前記栽培装置（２）の排液量を検出する排液量センサ（２６ａ）と、を備え、前記二酸化炭素供給装置（２３）で二酸化炭素を供給中に、前記蒸散検出手段（５１）が植物の蒸散が活発でない状態を検出し、且つ、前記排液量センサ（２６ａ）が検出する排液量が設定量に達しない場合に、二酸化炭素の供給を停止することを特徴とする栽培設備である。
【０００７】
請求項２に記載の発明は、栽培室（１）内で養液の供給と排液とを行い、植物を栽培するための栽培装置（２）と、二酸化炭素を供給する二酸化炭素供給装置（２３）と、植物の蒸散の状態を検出する蒸散検出手段（５１）と、前記栽培装置（２）内の養液量を検出する養液量検出センサ（２４ｈ）と、を備え、前記二酸化炭素供給装置（２３）で二酸化炭素を供給中に、前記蒸散検出手段（５１）が植物の蒸散が活発でない状態を検出し、且つ、前記養液量検出センサ（２４ｈ）が検出する養液量が設定量に達する場合に、二酸化炭素の供給を停止することを特徴とする栽培設備である。
【０００８】
請求項３に記載の発明は、前記栽培室（１）内で湿度を検出する湿度センサ（ＳＮ２）と、前記湿度センサ（ＳＮ２）が検出する湿度の上昇が予め設定された設定値に達しない場合に、植物の蒸散が活発でない状態と検出する前記蒸散検出手段（５１）と、を備えたことを特徴とする請求項１または２に記載の栽培設備である。
【０００９】
請求項４に記載の発明は、植物を観察する観察部材（１２）と、前記観察部材（１２）の観察結果に基づいて、植物が萎れている場合は、植物の蒸散が活発でない状態と検出する前記蒸散検出手段（５１）と、を備えたことを特徴とする請求項１ないし３のいずれかに記載の栽培設備である。
【００１０】
請求項５に記載の発明は、前記蒸散検出手段（５１）が植物の蒸散が活発である状態を検出した場合に、二酸化炭素の供給を継続することを特徴とする請求項１ないし４のいずれかに記載の栽培設備である。
【００１１】
請求項６に記載の発明は、栽培室（１）内で養液の供給と排液とを行い、植物を栽培するための栽培装置（２）と、二酸化炭素を供給する二酸化炭素供給装置（２３）と、日射量を計測する日射計（１６）と、を備え、前記日射計（１６）の計測結果に基づいて、曇の日が続いた後の晴天日である場合に、二酸化炭素の供給を停止することを特徴とする栽培設備である。
【００１２】
請求項７に記載の発明は、栽培室（１）内で養液の供給と排液とを行い、植物を栽培するための栽培装置（２）と、二酸化炭素を供給する二酸化炭素供給装置（２３）と、植物の葉温を検出する葉温検出手段（１３）と、を備え、前記二酸化炭素供給装置（２３）で二酸化炭素を供給中に、前記葉温検出手段（１３）が検出する葉温が設定値に達する場合に、二酸化炭素の供給を停止することを特徴とする栽培設備である。
【発明の効果】
【００１３】
請求項１記載の発明によれば、二酸化炭素供給装置（２３）で二酸化炭素を供給中に、前記蒸散検出手段（５１）が植物の蒸散が活発でない状態を検出し、且つ、前記排液量センサ（２６ａ）が検出する排液量が設定量に達しない場合に、二酸化炭素の供給を停止することで、栽培設備において、植物の状況（植物が弱っている状況）に応じて、二酸化炭素の供給を適切に停止させることができる。
【００１４】
請求項２記載の発明によれば、二酸化炭素供給装置（２３）で二酸化炭素を供給中に、前記蒸散検出手段（５１）が植物の蒸散が活発でない状態を検出し、且つ、前記養液量検出センサ（２４ｈ）が検出する養液量が設定量に達する場合に、二酸化炭素の供給を停止することで、栽培設備において、植物の状況（植物が弱っている状況）に応じて、二酸化炭素の供給を適切に停止させることができる。
【００１５】
請求項３記載の発明によれば、請求項１または２記載の発明の効果に加えて、湿度に基づいて、植物の蒸散の状態を検出できる。
【００１６】
請求項４記載の発明によれば、請求項１ないし３のいずれかに記載の発明の効果に加えて、観察部材（１２）での観察結果に基づいて、植物の蒸散の状態を検出できる。
【００１７】
請求項５記載の発明によれば、請求項１ないし４のいずれかに記載の発明の効果に加えて、植物の蒸散が活発である状態を検出した場合に、二酸化炭素の供給を継続することで、植物の状況に応じて、二酸化炭素を適切に供給できる。
【００１８】
請求項６記載の発明によれば、日射計（１６）の計測結果に基づいて、曇の日が続いた後の晴天日である場合に、二酸化炭素の供給を停止することで、栽培設備において、植物の状況（蒸散過多の状況）に応じて、二酸化炭素の供給を適切に停止させることができる。
【００１９】
請求項７記載の発明によれば、二酸化炭素供給装置（２３）で二酸化炭素を供給中に、前記葉温検出手段（１３）が検出する葉温が設定値に達する場合に、二酸化炭素の供給を停止することで、栽培設備において、植物の状況（蒸散過多の状況）に応じて、二酸化炭素の供給を適切に停止させることができる。
【図面の簡単な説明】
【００２０】
【図１】図１は本発明の栽培設備の説明図である。
【図２】図２は実施例の栽培設備の制御部の説明図である。
【発明を実施するための形態】
【００２１】
以下、図面に基づき、本発明の好ましい実施の形態について説明する。
図１は本発明の栽培設備の説明図である。
図１において、本発明の実施例の栽培設備Ｓは、栽培室の一例としての温室１を有する。実施例の温室１は、天窓１ａ，１ｂが、図示しないモータ等で開閉可能に構成されている。
温室１の内部には、栽培装置の一例としての栽培ベッド２が複数設置されている。栽培ベッド２は、土が収容されており、植物の一例としてのトマト２ａが栽培されている。なお、栽培する植物はトマトに限定されず、目的や用途に応じて、任意の植物を栽培可能である。
【００２２】
栽培ベッド２の近傍には、加温部材の一例としての温水パイプ３が設置されている。温水パイプ３の内部には温水が循環しており、栽培ベッド２の周囲を加温することが可能である。
栽培ベッド２の下部には、温風送風機４が配置されている。温風送風機４は、栽培ベッド２の下方から温風を噴き出すことが可能に構成されている。
栽培ベッド２の上方には、水を霧状に噴き出して、水の気化熱で温度と湿度を調整する細霧冷房装置６が設置されている。
【００２３】
また、温室１の内部には、温度計や湿度計、二酸化炭素濃度計を有する計測盤１１が設置されている。
さらに、栽培ベッド２の近傍には、観察部材の一例としてのカメラ１２が配置されている。カメラ１２は、植物の映像を取得する。
また、栽培ベッド２の近傍には、葉温検出部材の一例としての放射温度計１３が配置されている。放射温度計１３は、植物の葉に向けて配置されており、植物の葉の温度（葉温）を計測する。
【００２４】
さらに、温室１の内部には、結露検出部材の一例としての結露感知センサ１４が設置されている。実施例の結露感知センサ１４は、温室の天井から吊り下げられている。
また、実施例では、温室１の外に日射計１６が設置されている。日射計１６は、太陽光の日射量を検出する。なお、日射計１６は、温室１の内部に設置することも可能である。
さらに、実施例では、温室１の外に風向計１７が設置されている。風向計１７は、風向きを検出する。
【００２５】
温室１には、温室１内の温度を制御する温度制御装置２１が設置されている。
また、温室１には、温室１の換気、気流を制御する換気制御装置２２が設置されている。
さらに、温室１には、温室１内の植物に光合成に必要な二酸化炭素を供給する二酸化炭素供給装置２３が設置されている。
また、温室１には、栽培ベッド２に、肥料を含む水である養液を供給する養液供給装置２４が設置されている。
【００２６】
さらに、温室１には、栽培ベッド２で植物に吸収されなかった養液（排液）を処理する排液処理装置２６が設置されている。
前記温度制御装置２１、換気制御装置２２、二酸化炭素供給装置２３、養液供給装置２４、排液処理装置２６は、制御部Ｃで制御される。
【００２７】
図２は実施例の栽培設備の制御部の説明図である。
実施例の制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例の制御部Ｃは、情報処理装置、いわゆるコンピュータにより構成されている。よって、制御部Ｃは、ＲＯＭ等に記憶されたプログラムを実行することにより種々の機能を実現することができる。
【００２８】
（制御部に接続された被制御要素）
実施例の制御部Ｃは、温度制御装置２１や換気制御装置２２、二酸化炭素供給装置２３、養液供給装置２４、排液処理装置２６、その他、図示しない被制御要素に制御信号を出力する。
温度制御装置２１は、燃焼装置の一例としてのボイラー２１ａを有する。ボイラー２１ａは、水を温水にして、温水パイプ３に供給する。また、ボイラー２１ａで燃料を燃焼する際に発生する二酸化炭素は、二酸化炭素供給装置２３のガスタンク２３ａに収容される。
【００２９】
さらに、ボイラー２１ａで発生した排熱は、発電機２１ｂでの発電に利用される。発電機２１ｂで発生した電力は、空気調和装置の一例としてのエアーコンディショナ（エアコン）２１ｃに供給され、温室１内の温度制御や、図示しない作業者の休憩室、母屋等の温度制御に利用可能である。したがって、ボイラー２１ａの排熱を有効利用できる。
また、発電機２１ｂで発電した電力は、エアコン２１ｃで使用する場合に限定されず、換気制御装置２２等の他の装置２２〜２６で使用する構成とすることも可能である。
【００３０】
温度制御装置２１は、制御部Ｃからの制御信号に応じて、ボイラー２１ａや、エアコン２１ｃ、細霧冷房装置６、温風送風ファン４を制御して、温室１の内部の温度、湿度を調整、制御する。なお、結露を感知した場合と感知しない場合で、温度や制御湿度を結露しにくいように調整することが可能である。
【００３１】
換気制御装置２２は、換気部材の一例としての換気ファン２２ａと、天窓１ａ，１ｂの開閉を行う天窓開閉装置２２ｂとを有する。換気ファン２２ａは、制御部Ｃからの制御信号に応じて、作動または停止して、温室１内の空気の流動を制御する。天窓開閉装置２２ｂは、制御部Ｃからの制御信号に応じて、天窓１ａ，１ｂを開閉する。
【００３２】
二酸化炭素供給装置２３は、二酸化炭素の収容部の一例としてのガスタンク２３ａと、弁体の一例としてのガスバルブ２３ｂとを有する。ガスバルブ２３ｂは、制御部Ｃからの制御信号に応じて開閉され、二酸化炭素の温室１への供給、供給停止を制御する。
【００３３】
養液供給装置２４は、水が収容された原水タンク２４ａと、肥料が収容された肥料タンク２４ｂとを有する。なお、実施例では、肥料の一例として液体肥料が使用されるとともに、肥料タンク２４ｂには、植物に施用される濃度よりも高濃度の濃縮肥料が収容されている。原水タンク２４ａの水は、原水ポンプ２４ｃで混合タンク２４ｅに供給される。肥料タンク２４ｂの液体肥料は、肥料ポンプ２４ｄで混合タンク２４ｅに供給される。混合タンク２４ｅには、原水タンク２４ａからの水と、肥料タンク２４ｂからの肥料と、後述する殺菌後の排液とが混合されて、養液が生成される。
【００３４】
混合タンク２４ｅの養液は、各栽培ベッド２での必要量に応じて、給液ポンプ２４ｆで汲み出される。切換弁２４ｇは、給液ポンプ２４ｆからの養液を必要な栽培ベッド２に供給され、且つ、不要な栽培ベッド２に供給されないように切り替える。
各栽培ベッド２へ供給された養液量は、養液量検出センサ２４ｈで計測される。なお、養液量検出センサ２４ｈは、養液供給装置２４に限定されず、栽培ベッド２の培地（土壌）に設けた水分センサを使用することも可能である。
【００３５】
栽培ベッド２からの排液は、排液処理装置２６の排液量センサ２６ａで計測される。排液は、排液タンク２６ｂに流入、収容される。排液タンク２６ｂの排液は、排液ポンプ２６ｃで殺菌装置２６ｄに送られる。殺菌措置２６ｄは、紫外線（ＵＶ）等で排液を殺菌処理して、混合タンク２４ｅに送られて再利用される。実施例では、殺菌した排液が速やかに混合タンク２４ｅに送られて再使用される。したがって、殺菌後にタンクに所定時間貯留する場合に比べて、殺菌後のタンクで細菌に侵されにくくなっている。
なお、混合タンク２４ｅの液が、所定時間貯留された場合に、排液タンク２６ｂに送って、殺菌装置２６ｄで殺菌して使用するように構成することも可能である。
【００３６】
（制御部に接続された信号入力要素）
図１、図２において、実施例の制御部Ｃには、各種計測部材、検知部材ＳＮ１〜ＳＮ３，１２〜１７，２４ｈ，２６ａからの信号が入力される。
計測盤１１の温度計ＳＮ１は、温室１の温度を計測する。
計測盤１１の湿度計ＳＮ２は、温室１の湿度を計測する。
計測盤１１の二酸化炭素濃度計ＳＮ３は、温室１の二酸化炭素濃度を計測する。
カメラ１２は、植物の画像を撮影する。
放射温度計１３は、葉温を検出する。
結露感知センサ１４は、結露の有無を検出する。
日射計１６は日射量を計測する。
風向計１７は、風向を計測する。
【００３７】
制御部Ｃは、以下の機能（機能手段、プログラムモジュール）を有する。
蒸散検出手段５１は、湿度検知手段５１ａと、カメラ画像取得手段５１ｂと、萎れ程度判別手段（画像解析手段）５１ｃとを有し、植物の蒸散が活発であるか否かを判別する。実施例の蒸散検出手段５１は、湿度検知手段５１ａが検出する湿度の上昇（湿度の変化速度）が、予め設定された設定値に達しない場合に、植物の蒸散が活発でないと検出する。すなわち、植物の蒸散が活発であれば、気孔が開いて空気中に水分が多く放出されることとなり、湿度の上昇が高くなり、蒸散が活発でなければ、湿度の上昇が低くなることから、湿度の上昇に基づいて蒸散が活発であるか否かを検出している。なお、設定値は、実験等で予め測定、設定されている。
【００３８】
また、実施例の蒸散検出手段５１は、カメラ画像取得手段５１ｂが取得したカメラ１２からの画像（観察結果）に基づいて、萎れ程度判別手段５１ｃが、植物が萎れているか否かを判別し、萎れている場合には、気孔が閉じている可能性が高く、蒸散が活発でないと検出する。なお、植物が萎れているか否かは、複数の段階の萎れ具合の葉の画像を予め取得しておき、カメラ１２の撮影画像と比較して最も近い萎れ具合の葉の画像を特定することで、萎れ具合を判別可能である。
【００３９】
葉温検出手段５２は、放射温度計１３の入力信号から葉温を検出する。
日射量検出手段５３は、日射計１６の入力信号から日射量を検出する。
日射量履歴記憶手段５４は、日射量検出手段５３が検出した日射量の履歴を記憶する。日射量履歴記憶手段５４は、日射計１６が測定した日時と対応させて日射量の履歴を記憶する。したがって、日射量の履歴から、本日や昨日、一昨日が晴天日か、非晴天日（曇天、雨天、雪等）かを判定することも可能に構成されている。
【００４０】
養液量検出手段５５は、養液量検出センサ２４ｈの入力信号から栽培ベッド２に供給された養液量を取得する。
排液量検出手段５６は、排液量センサ２６ａの入力信号に基づいて栽培ベッド２から排出された排液量を取得する。
【００４１】
二酸化炭素供給制御手段５７は、二酸化炭素濃度計ＳＮ３の検知結果に基づいて、二酸化炭素の供給および供給停止の制御を行う。二酸化炭素供給制御手段５７は、二酸化炭素濃度計ＳＮ３の検出する二酸化炭素濃度が予め設定された範囲に収まっている場合には、二酸化炭素の供給を行わず、植物の光合成で二酸化炭素が消費されて、予め設定された範囲を下回ると、二酸化炭素の供給を行う。なお、従来の構成では、二酸化炭素濃度のみに基づいて、制御を行っていた。
【００４２】
実施例の二酸化炭素供給制御手段５７は、二酸化炭素供給中に、蒸散検出手段５１が植物の蒸散が活発でない状態を検出し、且つ、排液量センサ２６ａが検出する排液量が設定量に達しない場合に、二酸化炭素の供給を停止する。すなわち、蒸散が活発でなく、排液量が少ないということは、植物は、気孔が開いておらず、養液を多く吸収しているために排液が少なくなっている状態である可能性が高く、光合成が活発でない状態と推定される。したがって、光合成が活発でない状況で二酸化炭素を供給しても、二酸化炭素が光合成に使われにくく、大気中に拡散しやすく、無駄が多く非効率的である。よって、実施例では、蒸散と排液量から光合成が活発でないと推定、判定された場合には、二酸化炭素の供給が停止される。
【００４３】
さらに、実施例の二酸化炭素供給制御手段５７は、二酸化炭素を供給中に、前記蒸散検出手段５１が植物の蒸散が活発でない状態を検出し、且つ、前記養液量検出センサ２４ｈが検出する養液量が設定量に達する場合にも、二酸化炭素の供給を停止する。すなわち、蒸散が活発でなく、養液量が多いということは、植物は、気孔が開いておらず、養液を多く吸収している状態である可能性が高く、光合成が活発でない状態と推定される。したがって、排液量が少ない場合と同様に、光合成が活発でない状況で二酸化炭素を供給しても非効率的である。よって、実施例では、蒸散と養液量から光合成が活発でないと推定、判定された場合には、二酸化炭素の供給が停止される。
【００４４】
なお、実施例の二酸化炭素供給制御手段５７は、排液量が設定量に達しない場合や養液量が設定量に達する場合でも、蒸散が活発であれば、光合成が活発に行われていて、養液が多く植物に吸収されていると推定される。したがって、光合成に必要な二酸化炭素の供給が継続される。
なお、排液量の設定量や養液量の設定量は、実験等で予め測定され、設定されている。
【００４５】
また、実施例の二酸化炭素供給制御手段５７は、日射計１６の計測結果に基づいて、曇の日が続いた後の晴天日である場合に、二酸化炭素の供給を停止する。曇りの日が続いた後の晴天日は蒸散が活発になることが知られている。したがって、一度に蒸散してしまって蒸散過多になって、生理障害の一例としての萎れの原因になる。よって、この状況で二酸化炭素を供給し続けると、蒸散過多状態での光合成が過剰になり、植物の生理障害が発生する場合がある。したがって、蒸散過多の状況では、蒸散が活発な状況でも、二酸化炭素の供給が停止される。
【００４６】
さらに、実施例の二酸化炭素供給制御手段５７は、葉温検出手段５２が検出する葉温が設定値に達する場合に、二酸化炭素の供給を停止する。葉温が高いと蒸散が活発になっていることが知られている。したがって、実施例では、蒸散過多になっている可能性があるので、生理障害の一例としての尻腐れ果の発生を抑制するために、二酸化炭素の供給が停止される。
なお、生理障害の発生を、天候や葉温から推測、予測する構成を例示したが、これに限定されない。例えば、植物の生長（伸びや茎の太さ）をカメラ等で経時的に計測して、過剰に生長していると判別することも可能である。また、実施例では、二酸化炭素の供給停止を例示したが、これに限定されず、温室１のカーテンの遮光を行うタイミングを早くしたり潅水量を抑えて生長を抑えることも可能である。
【００４７】
また、二酸化炭素供給制御手段５７は、二酸化炭素の供給時（施用時）に、温度が設定値（例えば、１℃／１０分）以上急上昇するか、湿度が設定値（例えば、１％／１０分）以上急低下した場合に、二酸化炭素の供給を停止する。これは、春先等の朝寒く、昼にかけて温度が急上昇するような状況で、二酸化炭素を継続供給して蒸散が過多になると、生理障害の一例としての尻腐れ果が発生する恐れがある。したがって、二酸化炭素の供給を停止することで、生理障害の発生を抑制可能である。
【００４８】
温度制御手段５８は、結露検知手段５８ａと、ボイラー制御手段５８ｂと、空調制御手段５８ｃと、細霧冷房制御手段５８ｄと、温風送風機制御手段５８ｅと、を有し、温度制御装置２１を制御して、温室１の温度および湿度を制御する。
結露検知手段５８ａは、結露感知センサ１４の入力信号に基づいて、結露が発生しているか否かを判別、検知する。
【００４９】
ボイラー制御手段５８ｂは、温度計ＳＮ１の検知結果に基づいて、温室１内の温度が、予め設定された下限温度に達しない場合に、ボイラー２１ａを作動させつつ、温水パイプ３を作動させる。また、ボイラー制御手段５８ｂは、温室１内の温度が下限温度に達していても、エアコン２１ｃや細霧冷房装置６、温風送風ファン４が使用される場合には、ボイラー２１ａを作動させる（温水の供給は停止する）。
【００５０】
空調制御手段５８ｃは、温室１内の温度が、予め設定された上限温度に達する場合に、エアコン２１ｃを制御して、温室１内の温度を下げる。
細霧冷房制御手段５８ｄは、温室１内の温度が予め設定された上限温度に達する場合に、細霧冷房装置６を制御して、温室１内の温度および湿度を制御する。なお、細霧冷房制御手段５８ｄは、細霧冷房装置６を制御して、温室１を加湿しつつ温度を下げることが可能である。実施例の細霧冷房制御手段５８ｄは、カメラ１２の撮影結果に基づく萎れ度合いに基づいて、萎れ度合いが第１設定値（例えば、８０％）になると細霧冷房を開始し、第２設定値（例えば９０％）になると細霧冷房を停止させる。
【００５１】
温風送風機制御手段５８ｅは、結露検知手段５８ａが結露が発生していると検知した場合には、温風送風ファン４を作動させる。植物の葉に結露の水が付着すると、蒸散作用が低下して、病気の原因となるため、温風を送風して栽培ベッド２の近傍で結露が発生しにくくする。特に、細霧冷房中に結露が検知された場合には、細霧冷房装置６が発生させた霧が栽培ベッド２の周囲に到達する恐れがあるため、温風送風ファン４を作動させる。
なお、温風送風機制御手段５８ｅは、結露検知手段５８ａの検知結果に基づく場合に限定されず、湿度計ＳＮ２の検知結果に基づいて、湿度が高いときに温風送風ファン４を作動させるように制御を行うことも可能である。
【００５２】
換気制御手段５９は、天窓開度設定手段５９ａを有し、温室１の換気を制御する。換気制御手段５９は、換気制御装置２２を制御して、温室１内の空気の循環と、外気との空気の入れ替えの制御を行う。温室１内の温湿度の制御を行う場合には、所定の換気温度、湿度になると天窓１ａ，１ｂを開放して、所定の閉鎖温度、湿度になると天窓１ａ，１ｂを閉じることで、換気を行って、温室１内の温度や湿度を調整可能である。なお、このときボイラー２１ａ等を使用せずに、温度湿度の調整を行うことで、ボイラー２１ａの燃料等を節約可能である。なお、実施例の換気制御手段５９は、二酸化炭素の供給中は、風向計１７の検知結果から、風上側の天窓１ａ，１ｂは開度が所定の設定開度よりも小さくされ、風下側の天窓１ａ，１ｂの開度が所定の開度よりも大きく設定される。したがって、風の通過により二酸化炭素が外気に放出される量が抑制される。
【００５３】
養液供給制御手段６１は、養液供給装置２４を制御して、栽培ベッド２に養液を供給する。
排液処理制御手段６２は、排液処理装置２６を制御して、栽培ベッド２からの排液の処理を行う。
【符号の説明】
【００５４】
１…栽培室、
２…栽培装置、
１２…観察部材、
１３…葉温検出手段、
１６…日射計、
２３…二酸化炭素供給装置、
２４ｈ…養液量検出センサ、
２６ａ…排液量センサ、
５１…蒸散検出手段、
Ｓ…栽培設備、
ＳＮ２…湿度センサ。
【図１】
2019041637.tif 000003
【図２】
2019041637.tif 000004